(57)【要約】【課題】紙葉類の追加、取り外しの作業が容易に行えるようにするファイル及び綴じ具を提供する。【解決手段】本ファイル１は一対の綴じ代片１１の両方に同じ綴じ具２がそれぞれ取り付けられる。綴じ具２は、レール部３１が形成された綴じ具本体３と、綴じ具本体３のレール部３１にスライド可能に結合されたスライド部材５と、綴じ具本体３を綴じ代片１１に取り付けるための裏板６とを有する。綴じ具本体３は、一方の長辺に開放してファスナー足４を横から抜き差し可能にする切欠き窓３２が形成され、切欠き窓３２にはファスナー足４が引っ掛かって保持位置に配置されるようにする舌片３３が形成される。そして、切欠き窓３２内の保持位置にファスナー足４が配置された状態でスライド部材５をスライドさせるとファスナー足４が切欠き窓３２の縁に押圧されて綴じ具本体３の長手方向に折れ曲がった状態で係止される。【選択図】図１
0003136115.tif 000002
【実用新案登録請求の範囲】
【請求項１】
紙葉類をその間に配置させる一対の綴じ代片が形成され、綴じ代片には紙葉類の綴じ穴に挿通する紐状のファスナー足を保持する綴じ具が取り付けられたファイルであって、
一対の綴じ代片の両方に同じ綴じ具がそれぞれ取り付けられ、
綴じ具は、長手方向に沿ってレール部が形成された細長い綴じ具本体と、綴じ具本体のレール部にスライド可能に結合されたスライド部材と、綴じ具本体を綴じ代片に取り付けるための裏板とを有し、
綴じ具本体は、一方の長辺に開放してファスナー足を横から抜き差し可能にする切欠き窓が形成され、この切欠き窓が綴じ代片に設けた切込みに配置されるように綴じ代片の外側に配置され、
裏板は、綴じ代片の内側に配置されて綴じ代片の貫通孔を通し綴じ具本体の透孔から表面に突出されてスライド部材が切欠き窓から退避した所定の退避位置よりもさらに退避する位置にスライドされないようにするストッパ突起が設けられ、
切欠き窓にはファスナー足が引っ掛かって保持位置に配置されるようにする舌片が形成され、この切欠き窓内の保持位置にファスナー足が配置された状態でスライド部材をスライドさせることによってファスナー足が切欠き窓の縁に押圧されて綴じ具本体の長手方向に折れ曲がった状態で係止される構成としたファイル。
【請求項２】
請求項１に記載のファイルにおいて、
表表紙と背表紙と裏表紙とを有し、
表表紙の基端と裏表紙の基端とにそれぞれ綴じ具を取り付けた綴じ代片が形成され、
表表紙と裏表紙とがともに袋状に形成されてそれぞれ背表紙を収容し、一対の綴じ代片の間隔を拡縮可能に表表紙と裏表紙とがそれぞれ背表紙の収容量を可変させて背表紙の背幅が伸び縮み可能に構成され、
背表紙は、表表紙に収容される左片の高さ幅と裏表紙に収容される右片の高さ幅とが表表紙及び裏表紙の高さ幅よりも短く形成される一方、中央片の高さ幅が表表紙及び裏表紙の高さ幅と略同じに形成されてこの中央片の上下の突片が表表紙と裏表紙のそれぞれの縁部に当たって中央片が収容阻止される構成としたファイル。
【請求項３】
請求項１又は２に記載のファイルにおいて、
綴じ具本体には、切欠き窓が２つ設けられ、
スライド部材は、綴じ具本体のレール部に尺取虫状に伸び縮みしてスライドされてこのスライド部材中央のつまみ部をワンウエイ操作することによってスライド部材の両端部にて綴じ具本体の２つの切欠き窓が同時に閉塞又は開放される構成としたファイル。
【請求項４】
ファイル内に形成された綴じ代片に取り付けられて紙葉類の綴じ穴に挿通する紐状のファスナー足を保持する綴じ具であって、
長手方向に沿ってレール部が形成された細長い綴じ具本体と、
綴じ具本体のレール部にスライド可能に結合されたスライド部材とを有し、
綴じ具本体は、一方の長辺に開放してファスナー足を横から抜き差し可能にする切欠き窓が形成されると共に、切欠き窓にはファスナー足が引っ掛かって保持位置に配置されるようにする舌片が形成されており、
この切欠き窓内の保持位置にファスナー足が配置された状態でスライド部材をスライドさせることによってファスナー足が切欠き窓の縁に押圧されて綴じ具本体の長手方向に折れ曲がった状態で係止される構成とした綴じ具。
【請求項５】
請求項４に記載の綴じ具において、
綴じ具本体をファイルの綴じ代片に取り付けるため綴じ代片の内側に配置される裏板を有し、
裏板には、綴じ代片の貫通孔を通し綴じ代片の外側に配置される綴じ具本体の透孔から表面に突出されてスライド部材が切欠き窓から退避した所定の退避位置よりもさらに退避する位置にスライドされないようにするストッパ突起が設けられている綴じ具。
【請求項６】
請求項４又は５に記載の綴じ具において、
綴じ具本体には、切欠き窓が形成されていない他方の長辺に沿って補強片が形成されている綴じ具。
【請求項７】
請求項４乃至６のいずれかに記載の綴じ具において、
綴じ具本体のレール部とスライド部材とには、スライド部材が綴じ具本体の切欠き窓から退避した所定の退避位置でロックされるように、互いに係合する係合部がそれぞれ形成されている綴じ具。
【請求項８】
請求項４乃至７のいずれかに記載の綴じ具において、
綴じ具本体には、切欠き窓が２つ設けられ、
スライド部材は、綴じ具本体のレール部に尺取虫状に伸び縮みしてスライドされ、このスライド部材中央のつまみ部をワンウエイ操作することによってスライド部材の両端部にて綴じ具本体の２つの切欠き窓が同時に閉塞又は開放される構成とした綴じ具。
【考案の詳細な説明】
【技術分野】
【０００１】
本考案は、ファイル及び綴じ具に関するものである。
【背景技術】
【０００２】
この種のファイルとしては、例えば、紙葉類をその間に配置させる一対の綴じ代片が形成され、裏表紙側に形成する綴じ代片には紙葉類の２つの綴じ穴に挿通する１本のファスナー足を保持し、表表紙側に形成する綴じ代片にはこのファスナー足の両端の先端部をその一対の貫通孔に挿通させると共に各貫通孔においてファスナー足を折り曲げ状態に押圧して係止する綴じ具を取り付けたものが知られている。
【特許文献１】特開２００４−９０２５９号公報
【考案の開示】
【考案が解決しようとする課題】
【０００３】
上記従来のファイルは、綴じ具が表表紙側の綴じ代片にしか取り付けられていないため、裏表紙側からは紙葉類を追加あるいは取り外すことができず、この場合、一旦全ての紙葉類をファスナー足から取り外し、裏側に紙葉類の追加あるいは取り外しを行い、この後、再び全ての紙葉類にファスナー足を通し綴じ具で固定させて綴じ直す必要があり、非常に手間が掛かる。しかも、綴じ具は、その貫通孔にファスナー足の先端部を挿通させて綴じるようにするため、このことからも、紙葉類の追加、取り外しの作業を面倒にしている。
【０００４】
本考案は、上記事情に鑑みてなされたものであり、紙葉類の追加、取り外しの作業が容易に行えるようにするファイル及び綴じ具を提供することを課題とする。
【課題を解決するための手段】
【０００５】
本考案に係るファイルは、
紙葉類をその間に配置させる一対の綴じ代片が形成され、綴じ代片には紙葉類の綴じ穴に挿通する紐状のファスナー足を保持する綴じ具が取り付けられたファイルであって、
一対の綴じ代片の両方に同じ綴じ具がそれぞれ取り付けられ、
綴じ具は、長手方向に沿ってレール部が形成された細長い綴じ具本体と、綴じ具本体のレール部にスライド可能に結合されたスライド部材と、綴じ具本体を綴じ代片に取り付けるための裏板とを有し、
綴じ具本体は、一方の長辺に開放してファスナー足を横から抜き差し可能にする切欠き窓が形成され、この切欠き窓が綴じ代片に設けた切込みに配置されるように綴じ代片の外側に配置され、
裏板は、綴じ代片の内側に配置されて綴じ代片の貫通孔を通し綴じ具本体の透孔から表面に突出されてスライド部材が切欠き窓から退避した所定の退避位置よりもさらに退避する位置にスライドされないようにするストッパ突起が設けられ、
切欠き窓にはファスナー足が引っ掛かって保持位置に配置されるようにする舌片が形成され、この切欠き窓内の保持位置にファスナー足が配置された状態でスライド部材をスライドさせることによってファスナー足が切欠き窓の縁に押圧されて綴じ具本体の長手方向に折れ曲がった状態で係止される構成としたものである。
【０００６】
上記構成によれば、綴じ具が一対の綴じ代片の両方にそれぞれ取り付けられているので、紙葉類をファイルの表側からだけでなく裏側からでも追加、取り外しができる。
また、綴じ具の綴じ具本体には切欠き窓が形成され、ファスナー足を横から抜き差し可能にしているので、綴じ具本体に対してファスナー足を簡易に取り付け取り外しすることができる。
また、綴じ具本体の切欠き窓には舌片が形成されてファスナー足を所定の保持位置に配置させるので、ファスナー足がずれたりすることなくスライド部材によって確実に係止させることができる。よって、ファスナー足の係止不良を起こすことも防止される。
また、綴じ具本体の透孔から表面に裏板のストッパ突起が突出されてスライド部材が切欠き窓から退避した所定の退避位置よりもさらに退避する位置にスライドされないようにしているので、スライド部材がスライドされ過ぎて綴じ具本体から簡単に取外されてしまうことも防止できる。
【０００７】
上記ファイルにおいて、
表表紙と背表紙と裏表紙とを有し、
表表紙の基端と裏表紙の基端とにそれぞれ綴じ具を取り付けた綴じ代片が形成され、
表表紙と裏表紙とがともに袋状に形成されてそれぞれ背表紙を収容し、一対の綴じ代片の間隔を拡縮可能に表表紙と裏表紙とがそれぞれ背表紙の収容量を可変させて背表紙の背幅が伸び縮み可能に構成され、
背表紙は、表表紙に収容される左片の高さ幅と裏表紙に収容される右片の高さ幅とが表表紙及び裏表紙の高さ幅よりも短く形成される一方、中央片の高さ幅が表表紙及び裏表紙の高さ幅と略同じに形成されてこの中央片の上下の突片が表表紙と裏表紙のそれぞれの縁部に当たって中央片が収容阻止される構成としてもよい。
【０００８】
これにより、ファイルの表側、裏側のどちらからでも紙葉類を追加する場合に、紙葉類を載せていない表表紙あるいは裏表紙を引っ張って背表紙を伸ばして、紙葉類の綴じ量に応じて背幅を簡易且つ自由に変更することができる。
また、背表紙の中央片は、上下の突片によって表表紙と裏表紙への収容が阻止されるので、この背表紙の中央片にタイトル等の見出しを形成すれば、背幅が変更されても見出しが表表紙あるいは裏表紙によって隠されることなく常に見えるようにすることができる。しかも、内側の２つの綴じ具の配置空間も確保される。
そして、背表紙に対して表表紙と裏表紙の両方が伸ばせるので、背表紙の中央片に形成した見出しを常に中央に合せることもできる。さらには、背幅を伸ばさない状態では、中央片の上下の突片によってファイル内部が目隠しされるので、綴じた紙葉類や、表表紙及び裏表紙の上下部分が外部に露出されず、デザイン性も良好に確保される。
【０００９】
上記ファイルにおいて、
綴じ具本体には、切欠き窓が２つ設けられ、
スライド部材は、綴じ具本体のレール部に尺取虫状に伸び縮みしてスライドされてこのスライド部材中央のつまみ部をワンウエイ操作することによってスライド部材の両端部にて綴じ具本体の２つの切欠き窓が同時に閉塞又は開放される構成としてもよい。
これにより、２穴の紙葉類の出し入れに際しては、スライド部材のワンウエイ操作でファスナー足の係止、係止解除が行える。従って、綴じ具本体に対するファスナー足の取り付け取り外しを一層簡易に行うことができる。
【００１０】
一方、本考案に係る綴じ具は、
ファイル内に形成された綴じ代片に取り付けられて紙葉類の綴じ穴に挿通する紐状のファスナー足を保持する綴じ具であって、
長手方向に沿ってレール部が形成された細長い綴じ具本体と、
綴じ具本体のレール部にスライド可能に結合されたスライド部材とを有し、
綴じ具本体は、一方の長辺に開放してファスナー足を横から抜き差し可能にする切欠き窓が形成されると共に、切欠き窓にはファスナー足が引っ掛かって保持位置に配置されるようにする舌片が形成されており、
この切欠き窓内の保持位置にファスナー足が配置された状態でスライド部材をスライドさせることによってファスナー足が切欠き窓の縁に押圧されて綴じ具本体の長手方向に折れ曲がった状態で係止される構成としたものである。
【００１１】
上記構成によれば、綴じ具本体に形成された切欠き窓によってファスナー足を横から抜き差し可能にしているので、綴じ具本体に対してファスナー足を簡易に取り付け取り外しすることができる。
また、綴じ具本体の切欠き窓には舌片が形成されてファスナー足を所定の保持位置に配置させるので、ファスナー足がずれたりすることなくスライド部材によって確実に係止させることができる。よって、ファスナー足の係止不良を起こすことも防止される。
【００１２】
上記綴じ具において、
綴じ具本体をファイルの綴じ代片に取り付けるため綴じ代片の内側に配置される裏板を有し、
裏板には、綴じ代片の貫通孔を通し綴じ代片の外側に配置される綴じ具本体の透孔から表面に突出されてスライド部材が切欠き窓から退避した所定の退避位置よりもさらに退避する位置にスライドされないようにするストッパ突起が設けられていてもよい。
これにより、綴じ具本体の透孔から表面に裏板のストッパ突起が突出されてスライド部材が切欠き窓から退避した所定の退避位置よりもさらに退避する位置にスライドされないようにしているので、スライド部材がスライドされ過ぎて綴じ具本体から簡単に取外されてしまうことも防止できる。
【００１３】
上記綴じ具において、
綴じ具本体には、切欠き窓が形成されていない他方の長辺に沿って補強片が形成されていてもよい。
これにより、綴じ具本体に切欠き窓が形成されても、綴じ具本体の強度が確保される。
【００１４】
上記綴じ具において、
綴じ具本体のレール部とスライド部材とには、スライド部材が綴じ具本体の切欠き窓から退避した所定の退避位置でロックされるように、互いに係合する係合部がそれぞれ形成されていてもよい。
これにより、スライド部材が綴じ具本体の切欠き窓から退避した所定の退避位置でロックされるので、ファスナー足を綴じ具本体の切欠き窓に横から抜き差しするに際してスライド部材が障害となることもなく、綴じ具本体に対するファスナー足の取り付け取り外しを一層簡易に行うことができる。
【００１５】
上記綴じ具において、
綴じ具本体には、切欠き窓が２つ設けられ、
スライド部材は、綴じ具本体のレール部に尺取虫状に伸び縮みしてスライドされ、このスライド部材中央のつまみ部をワンウエイ操作することによってスライド部材の両端部にて綴じ具本体の２つの切欠き窓が同時に閉塞又は開放される構成としてもよい。
これにより、２穴の紙葉類の出し入れに際しては、スライド部材のワンウエイ操作でファスナー足の係止、係止解除が行える。従って、綴じ具本体に対するファスナー足の取り付け取り外しを一層簡易に行うことができる。
【考案の効果】
【００１６】
以上のように、本考案によれば、ファイルの表表紙側、裏表紙側のどちらからでも紙葉類の抜き差しができ、また、綴じ具に対してファスナー足を横から抜き差しでき、紙葉類の出し入れが容易に行える。従って、紙葉類の追加、取り外しの作業が非常に簡便に行え、使い勝手の優れたファイルの提供が可能となる。
【考案を実施するための最良の形態】
【００１７】
以下に、本発明の実施の形態について図面を参照しながら説明する。
図１〜図３に示すように、本実施の形態によるファイル１は、表表紙１２と背表紙１３と裏表紙１４とを有し、表表紙１２の基端と裏表紙１４の基端とにそれぞれ綴じ代片１１が形成され、この一対の綴じ代片１１の間に紙葉類Ｐが配置される。ここで「紙葉類」とは、紙等の書類のみならず、クリアファイルや中袋等も含むものとする。そして、一対の綴じ代片１１の両方ともには、同じ綴じ具２がそれぞれ取り付けられており、この２つの綴じ具２によって紙葉類Ｐの２つの綴じ穴Ｈに別々に挿通する紐状の２本のファスナー足４がそれぞれ左右の綴じ代片１１に架け渡すようにして保持される。
【００１８】
表表紙１２と裏表紙１４とは、ともに袋状に形成されてそれぞれ背表紙１３を収容し、一対の綴じ代片１１の間隔を拡縮可能に表表紙１２と裏表紙１４とがそれぞれ背表紙１３の収容量を可変させて背表紙１３の背幅が伸び縮み可能に構成されている。また、背表紙１３は、表表紙１２に収容される左片１３２の高さ幅と裏表紙１４に収容される右片１３３の高さ幅とが表表紙１２及び裏表紙１４の高さ幅よりも短く形成される一方、中央片１３１の高さ幅が表表紙１２及び裏表紙１４の高さ幅と略同じに形成されてこの中央片１３１の上下の突片１５が表表紙１２と裏表紙１４のそれぞれの縁部に当たって中央片１３１が収容阻止されるように構成されている（図２参照）。
【００１９】
これにより、ファイル１の表側、裏側のどちらからでも紙葉類Ｐを追加する場合に、紙葉類Ｐを載せていない表表紙１２あるいは裏表紙１４を引っ張って背表紙１３を伸ばして、紙葉類Ｐの綴じ量に応じて背幅を簡易且つ自由に変更することができる。また、背表紙１３の中央片１３１は、上下の突片１５によって表表紙１２と裏表紙１４への収容が阻止されるので、この背表紙１３の中央片１３１の外面にタイトル等の見出しを形成すれば、背幅が変更されても見出しが表表紙１２あるいは裏表紙１４によって隠されることなく常に見えるようにすることができる。しかも、この中央片１３１によって内側の２つの綴じ具２の配置空間も確保される。そして、背表紙１３に対して表表紙１２と裏表紙１４の両方が伸ばせるので、背表紙１３の中央片１３１に形成した見出しを常に中央に合せることもできる。さらには、背幅を伸ばさない状態では、中央片１３１の上下の突片１５によってファイル１内部が目隠しされるので、このファイル１に綴じた紙葉類Ｐや、表表紙１２及び裏表紙１４の上下部分が外部に露出されず、ファイル１のデザイン性も良好に確保される。
【００２０】
次に、綴じ具２の構成について説明する。
綴じ具２は、長手方向に沿ってレール部３１が形成された細長い綴じ具本体３（図５）と、綴じ具本体３のレール部３１にスライド可能に結合されたスライド部材５（図６）と、綴じ具本体３を綴じ代片１１に取り付けるための裏板６（図７）とを備える（図１参照）。
【００２１】
綴じ具本体３は、図５をも参照して、レール部３１のほか、一方の長辺に開放してファスナー足４を横から抜き差し可能にする切欠き窓３２が２箇所に形成されると共に、これらの切欠き窓３２にはファスナー足４が引っ掛かって保持位置（綴じ具本体３の幅方向中央位置である。例えば、切欠き窓３２の奥側位置）に配置されるようにする舌片３３が形成されている。そして、この綴じ具本体３は、切欠き窓３２が綴じ代片１１に設けた切込み１１１に配置されるように綴じ代片１１の外側（紙葉類Ｐが配置されない側）に配置される（図３をも参照）。なお、綴じ代片１１の切込み１１１は、綴じ具本体３の切欠き窓３２よりも大きく形成されている。綴じ具本体３には、切欠き窓３２が形成されていない他方の長辺に沿って補強片３５が形成されている（図３、図５参照）。これにより、綴じ具本体３に切欠き窓３２が形成されても、綴じ具本体３の強度が確保される。また、この綴じ具本体３には、裏板６の３つの嵌合凸部６３が嵌合される３つの嵌合孔３７や、裏板６に突設された２つのストッパ突起６１が挿通される２つの透孔３４が設けられている。
【００２２】
スライド部材５は、図６（ａ）（ｂ）をも参照して、中央につまみ部５１が形成され、両端部５５に綴じ具本体３のレール部３１にスライド自在に係合されるスカート部５４が形成されている。また、このスライド部材５は、中央と両端付近の３箇所にヒンジ部５３ａ，５３ｂが形成されており、これによって、中央のつまみ部５１を摘んで引き上げると略三角形状に縮み、この状態からつまみ部５１を押下げると直線状に伸び、いわば尺取虫の如く伸び縮みするように構成されている。そして、このスライド部材５は、綴じ具本体３のレール部３１に尺取虫状に伸び縮みしてスライドされ、このスライド部材５中央のつまみ部５１を上述の如くワンウエイ操作することによってスライド部材５の両端部５５にて綴じ具本体３の２つの切欠き窓３２が同時に閉塞又は開放される（図１、図２参照）。
【００２３】
綴じ具本体３のレール部３１とスライド部材５とには、スライド部材５が綴じ具本体３の切欠き窓３２から退避した所定の退避位置（スライド部材５の両端部５５が切欠き窓３２の内側の縁を越えた位置）でロックされるように、互いに係合する係合部がそれぞれ形成されている。すなわち、綴じ具本体３のレール部３１には、係合凸部３６が形成される一方、スライド部材５のスカート部５４には、このレール部３１の係合凸部３６に係合する係合凹部５２が形成されている。なお、係合凸部３６と係合凹部５２との形成場所の関係は、綴じ具本体３のレール部３１とスライド部材５のスカート部５４とのどちらに形成されていてもよい。また、図５示す係合凸部３６はレール部３１の片側にだけ形成され、図６に示す係合凹部５２はスカート部５４の両側に形成されているが、これは、スライド部材５がいずれの向きで綴じ具本体３のレール部３１に組みつけられても、上記所定の退避位置でスライド部材５がレール部３１にロックされるようにするためである。従って、上記の係合凸部３６と係合凹部５２との数の関係も、上記のロックが担保される限り、任意に組み合わせることが可能である。
【００２４】
そして、ファスナー足４が綴じ具本体３の切欠き窓３２の舌片３３に引っ掛かって保持位置に配置された状態でスライド部材５をスライドさせることによってファスナー足４が切欠き窓３２の縁に押圧されて綴じ具本体３の長手方向に折れ曲がった状態で係止される。
【００２５】
裏板６は、図７をも参照して、綴じ代片１１の内側（紙葉類Ｐが配置される側）に配置されて綴じ代片１１の貫通孔（図示せず）を通して綴じ具本体３の３つ嵌合孔３７に嵌合させて綴じ具本体３をファイル１の綴じ代片１１に固定させるための３つの嵌合凸部６３が形成され、また、綴じ代片１１に取り付けた状態で綴じ具本体３の切欠き窓３２及び綴じ代片１１の切込み１１１と対応する位置に前記切欠き窓３２以上の大きさの切込み６２が２箇所に形成されている。また、この裏板６は、綴じ代片１１の内側に配置されて綴じ代片１１の貫通孔（図示せず）を通し綴じ具本体３の透孔３４から表面に突出されてスライド部材５が切欠き窓３２から退避した所定の退避位置よりもさらに退避する位置（綴じ具本体３の長手方向中央位置側）にスライドされないようにする２つのストッパ突起６１が設けられている。
【００２６】
以上のように、本実施の形態によれば、綴じ具２が一対の綴じ代片１１の両方にそれぞれ取り付けられているので、紙葉類Ｐをファイル１の表側からだけでなく裏側からでも追加、取り外しができる（図４参照）。そして、綴じ具２の綴じ具本体３には切欠き窓３２が形成され、ファスナー足４を横から抜き差し可能にしているので、綴じ具本体３に対してファスナー足４を簡易に取り付け取り外しすることができる。
【００２７】
また、綴じ具本体３の切欠き窓３２には舌片３３が形成されてファスナー足４を所定の保持位置に配置させるので、ファスナー足４がずれたりすることなくスライド部材５によって確実に係止させることができる。よって、ファスナー足４の係止不良を起こすことも防止される。
【００２８】
また、綴じ具本体３の透孔３４から表面に裏板６のストッパ突起６１が突出されてスライド部材５が切欠き窓３２から退避した所定の退避位置よりもさらに退避する位置にスライドされないようにしているので、スライド部材５がスライドされ過ぎて綴じ具本体３から簡単に取外されてしまうことも防止できる。
【００２９】
また、綴じ具本体３のレール部３１とスライド部材５とには、スライド部材５が綴じ具本体３の切欠き窓３２から退避した所定の退避位置でロックされるように、互いに係合する係合凸部３６と係合凹部５２がそれぞれ形成されているので、ファスナー足４を綴じ具本体３の切欠き窓３２に横から抜き差しするに際してスライド部材５が障害となることもなく、綴じ具本体３に対するファスナー足４の取り付け取り外しを一層簡易に行うことができる。
【００３０】
また、スライド部材５は、綴じ具本体３のレール部３１に尺取虫状に伸び縮みしてスライドされ、このスライド部材５中央のつまみ部５１をワンウエイ操作することによってスライド部材５の両端部５５にて綴じ具本体３の２つの切欠き窓３２が同時に閉塞又は開放されるので、２穴の紙葉類Ｐの出し入れに際しては、スライド部材５のワンウエイ操作でファスナー足４の係止、係止解除が行える。従って、綴じ具本体３に対するファスナー足４の取り付け取り外しを一層簡易に行うことができる。
【００３１】
以上のことから、本実施の形態によれば、ファイル１の表表紙１２側、裏表紙１４側のどちらからでも紙葉類Ｐの抜き差しができ、また、綴じ具２に対してファスナー足４を横から抜き差しでき、紙葉類Ｐの出し入れが容易に行える。その結果、紙葉類Ｐの追加、取り外しの作業が非常に簡便に行え、使い勝手の優れたファイル１の提供が可能となる。
【００３２】
なお、本考案は、上記実施の形態のみには限定されず、本考案の要旨の範囲で適宜に設計変更を施すことが可能である。例えば、綴じ具２においては、綴じ具本体３と裏板６とを別体にするが、ヒンジを介して一体に形成し、このヒンジで折り曲げてファイル１の綴じ代片１１を挟み込むように配置されるようにしてもよい。
【図面の簡単な説明】
【００３３】
【図１】本考案の実施の形態におけるファイルであって綴じ具のスライド部材が引き上げられた状態を示す斜視図である。
【図２】本考案の実施の形態におけるファイルであって綴じ具のスライド部材が押下げられた状態を示す斜視図である。
【図３】本考案の実施の形態におけるファイルであって綴じ具のスライド部材が押下げられた状態を示す平面図である。
【図４】本考案の実施の形態におけるファイルであって表側から紙葉類を抜き差ししている状態（同図（ａ））と、裏側から紙葉類を抜き差ししている状態（同図（ｂ））とをそれぞれ示す斜視図である。
【図５】本考案の実施の形態における綴じ具の綴じ具本体の構成を示す平面図である。
【図６】本考案の実施の形態における綴じ具のスライド部材の構成を示す図であり、同図（ａ）がその正面図であり、同図（ｂ）その側面図である。
【図７】本考案の実施の形態における綴じ具の裏板の構成を示す平面図である。
【符号の説明】
【００３４】
１  ファイル
２  綴じ具
３  綴じ具本体
４  ファスナー足
５  スライド部材
６  裏板
１１  綴じ代片
１２  表表紙
１３  背表紙
１４  裏表紙
１５  突片
３１  レール部
３２  切欠き窓
３３  舌片
３４  透孔
３５  補強片
３６  係合凸部（係合部）
５１  つまみ部
５２  係合凹部（係合部）
６１  ストッパ突起
１１１  切込み
１３１  中央片
１３２  左片
１３３  右片
Ｈ  綴じ穴
Ｐ  紙葉類
【図１】
0003136115.tif 000003
【図２】
0003136115.tif 000004
【図３】
0003136115.tif 000005
【図４】
0003136115.tif 000006
【図５】
0003136115.tif 000007
【図６】
0003136115.tif 000008
【図７】
0003136115.tif 000009